(57)【特許請求の範囲】
【請求項１】
１、屋根上に敷き詰める方形のシート（以下では「ベースシート」と表記）と、２、前記１のベースシートに上乗せする２種類のエアバックと、３、前記１と２の装置の保護と滑雪のシート（以下では「カーバーシート」と表記）、及び、４、関連機材、の４部の構成からなり、前記関連機材は、普及している簡易自家用コンプレッサーと家庭用小型掃除機とし、方形の合成樹脂製で複層の厚さ２〜３ミリの防水性シートからなるベースシート１と、該ベースシートに上乗せ据え置きする、耐圧弾力の強いナイロンやアラミド、ポリエステル等を用いた、厚さ１〜３ミリ程度の強度のある撚糸製の網地の布面の内面に、気密用フイルムシートを接着被覆、又は、ラミネート合成処理等した不通気性防水加工処理した高圧耐圧素地材を用いて、大きく空気膨張するシート製のエアバック２、６と、敷設した架設物全体を覆い包む、耐候防水性と表面に滑落誘発する加工をした合成樹脂製で複層の厚さ２〜３ミリのカバーシート３、の３部の３層状の装置であり、前記カバーシート３は、建物の軒下奥部の位置までの長さとして軒先を覆うことを特徴とする勾配屋根積雪の反復稼動式無労力雪下ろし装置。
【請求項２】
雪下ろし時の、エアバックに圧縮空気注入の順序を、屋根の下層部のエアバックから先に始め、順次に上段に移行する作業工程と操作手順を特徴とする請求項１記載の勾配屋根積雪の反復稼動式無労力雪下ろし装置の運用方法。
【発明の詳細な説明】
【技術分野】
【０００１】
本発明は、勾配屋根上の排雪にエアバックの圧縮空気ジャッキ力と滑雪シートを利用し積雪の滑落を図った反復稼動式無労力の雪下ろし装置に関するものである。
【背景技術】
【０００２】
北日本及び、日本海沿岸の豪雪地帯では、毎冬、長期間続く降雪があり、特に最近は、異常気象の激しい降雪による記録的な積雪が発生している。特に重い湿雪が降り続く、日本海側沿岸の各地では、予想外のドカ雪で建物等の倒壊の危険に曝され、特に、民家の屋根雪の始末は個々の責任で、しかも、排雪作業は人力による雪下ろししかない現状にある。然し、高所作業の特殊性や、落下死傷の危険な作業などから、突然の大雪多雪の年には転落死や落雪下敷き死傷など、犠牲者が多発している現状にある。
【０００３】
然し、地上の対雪処理の機械化が著しく進む中で、既存住宅の適切な屋根雪対策が未だに無く、個々の責任で排雪処理するにも、実施し易い施策の開発や普及が全く進んでいない状況にある。従って、倒壊危険の到来時には、ボランテアなどの、篤志者達が、滑落や死の危険と隣り合わせの必死の活動で、除排雪作業を支えている現状であり、早急に対応策を見出さなければならない喫緊の課題を抱えてきた。
【０００４】
然し、本格的な対策法としては、当然、改築、新築事案もあるなか、先行技術発明の事例では、雪下ろしの方法として既存の屋根を大改造して積雪を切除する装置やローラーコンベアを屋根に構築したりするなどして、人力に頼らない排雪装置を施したものが発案されている（例えば、特許文献１参照。）が、いずれも大掛かりで、多額の費用負担がある。
【先行技術文献】
【特許文献】
【０００５】
【特許文献１】特開２００７−３３２７５１号公報
【特許文献２】特開２０１２−１８４６３９号公報
【特許文献３】特開２０１２−１９２７５７号公報
【特許文献４】特開２００１−３４８１９０号公報
【特許文献５】特開平１０−２９２６７２号公報
【発明の概要】
【発明が解決しようとする課題】
【０００６】
以上に述べた従来の屋根雪の排雪の装置や方法は、それぞれ相応しい特性の有る発明ではあるが、何れも工事が大掛かりで工事費も多額となる。であれば耐雪住宅に改造、或いは新築する選択がある。然しこれらは、借家住宅では実施が不可能な課題であり、それぞれの住宅事情や、家屋の構造上の複雑な問題があって、簡単に一様に対処出来にくい工事課題があり、しかも、雪始末だけの支出としては、経済的に重い負担となり、一般家庭では容易に着手できにくい課題がある。従って、毎冬決まって直面する屋根雪の始末に苦慮し、大雪予報に怯えながらも、対処が進まないのは、工事規模や費用の程度が許容限度内の、実施可能な、適切な対策方法が無い点である。
【０００７】
然し、従来の開示された種々の解決策が直面する課題は多様で、例えば、排雪する屋根面の状況や、かかる費用等の諸事情は一様で無い状況から、一般的に通用する好適な仕様条件が極めて限定されている事情が考えられる。例えば、危険到来を意識しても建て替えや耐雪改造する事情や多大な費用負担が見込めない場合や、建物に改変が許されない事情（借家）や歴史的に由緒のある文化的価値のある建築物などの場合もある。叉特に、この問題は居住家屋だけに止まらない課題であって、農工業事業者の生業に重大な影響を及ぼす、諸作業所や資材置き場、営畜農用機械の保管小屋や家畜の飼育小屋などの、簡易な構造の建物の倒伏危険や、多くの農業用ハウスの倒伏被害等、正業に関わる数多くの構築物の積雪倒壊や破損の被害の心配もある。然し長年、その適切な防御対策や、効果的な排雪手法の開発が一向に進まない点にある。
【０００８】
叉、費用負担の面から考えると、対処策には大小の現場規模に臨機応変に対応が出来、費用対効果がある、負担感の少ない解決策の期待がある。従って、従来の先行技術の難点を挙げれば、例えば、１、大掛かりで費用負担が高額。２、管理や排雪処理対応が素人では難しい事。３、排除雪の稼動の為に多くの人手と費用が要る事。４、夏でも常に構築物が架設されたままになる懸念。５、設置後の除去変更が容易でない事などの、実施が難しい根本的課題があると思われる。
【０００９】
本発明は従来の先行技術が有していた課題の、大規模施工等の、家屋に構造的改変を加えない事、対象家屋の屋根の諸状況に対応し、任意の規模に簡単に調整工作が出来る事、雪の到来に備え安全期に事前に備えられる事、屋根上に容易に装置を拡張設置ができ、不要時期には撤去できる仮設物である事、降雪期中の排雪運用には人が屋根に登る事が無い事、然も、常識的知識で安全に、自前で排雪操作が可能な事、起動や調整操作などが簡易操作だけで、無労力で滑落排雪できる事、積雪期に反復して何回でも排雪運用の対応操作が可能な事、春の無雪時期に屋根から取り外して格納し置き、翌冬に再活用が可能な事、ユーザーの毎期の更新時には、消耗費的支出（劣化部分の補充）追加だけの負担で済む事、架設の外観的形態は軽微で負担感が少ない事、等の改善策を考慮し、従来考えられ無かった念願の屋根に上らずに、無労力で安全に雪下ろしができる仕組みで、且つ、再起動体制に復帰可能なシステムの構築の実現を目的としたものである。
【課題を解決するための手段】
【００１０】
（１）
本発明は上記目的を達成するために、勾配屋根上の積み重なった積雪が、電動スイッチ操作による物理的圧迫が端緒となり、次第に重力的に不安定になり、自動落下する仕組みを構想したもので、屋根に登る事無く、手順に従って意図する、滑落部分を分割し乍、操作し、又、落下する雪の挙動を予測し、地上の安全な場所で監視しながら調整操作して、無労力で安全に、屋根上の積雪を自動滑落する方式で排雪できる仕組みであり、更に、従来考えられなかった再稼動できる、極めて優位な特長があり、施工簡易で経済性と現場適応性に優れた装置を開発したものである。
（２）
その仕組みは、普通の勾配屋根を持つ家屋を対象とし、一階建ての双方の勾配屋根全部の場合、及び二階建ての一階部分の片流れ勾配屋根の、以上の、二パターンがあるが、ともに、共通する排雪装置の対象となり、屋根それぞれの材質形状、例えば、亜鉛メッキ鋼板（トタン）葺き屋根や、各種瓦葺き屋根や萱葺き屋根などの屋根形状も対象に想定したものである。何れの建物も屋根傾斜度の勾配の度合いの程度差があるものの、基本的に、屋根の傾斜度を活用しながら、地上の電動操作による端緒の、物理的圧力で、屋根雪が自動滑落する仕組みを用いた、安全に無労力で排雪でき、即時復帰する再起動装置付きの、機能装置を考案したものである。又、傾斜度の小さい陸屋根でも、理論上は対応処理可能なシステムでもある。
（３）
以下にその構成大綱を項目に別け説明する。
（第１項）
本発明の装置を構築する基礎（ベースになる）となるシート（以下では「ベースシート」と表記する）で、対象とする屋根上の目的のエリア（範囲）全面に敷き詰める、敷設用の方形の厚手のシート。
（第２項）
前記第１項のシート上に、上乗せ施設し、排雪の起動力を発揮する装置で、２種類の形態の、膨張する耐圧機能エアバック（注、その膨張するエアジャッキ力を活用する）。
（第３項）
前記第１項と第２項の装置機能を保護保全する為に、敷設物全体を覆い包む、耐候性と防水性、及び、表面に滑落誘発機能を併せ持つ、カバーと滑雪の機能をもつシート（注記、以下では「カバーシート」と表記する）。一般の屋根材と同じダーク色系が望ましい。
（第４項）
前述した二つ(第１項と第３項)のシート、及び、第２項の、２種類のエアバックに関する、（イ）、機構全般の関連機材、及び、（ロ）、その操作と運用。
以上の４部の構成がある。
【００１１】
更に、普及している簡易自家用コンプレッサーと家庭用小型掃除機の機能を積極活用した軽便で経済的な機能的システムに特異性があり、現場規模に応変可能な、資材構成により、容易に装置敷設の工事対応が出来ること、装置の重量が軽易で、維持管理も安易であり、排雪の操作処理も常識的に易しく、又、積雪期対策や不用期の敷設や除去が容易な仮設的構成に特色があり、排雪作業も勾配屋根上の、重層固着した積雪を、地上からの電気スイッチ操作だけで、無労力で、反復排雪可能の優れた機能であり、積雪を底辺から押し上げる物理的圧力と、シート布面の引き寄せ動作で雪の重心が変動し自然滑落する加圧力となり、加えて、滑り台となる布面工作の効果で、一帯一挙に落雪する重力的状相を作り上げ、積雪を安全に意図通りに排除できる仕組みを考案したものである。基本的には屋根の傾斜度を活用するが、装置の機能は陸屋根でも、理論上は対応処理可能なシステムに特異な特徴がある。
以下に、その仕組みを項目別に説明すると、符号１の、本発明の装置を構築する「基礎」のベースシートで、対象の屋根上の目的の範囲全面に敷設する方形の厚手のシートであり、符号２（及び６）は、符号１のシートに上乗せ据え置きする本発明の本命の機動する装置で、２種類の形態（詳細後述）があり、大きく空気膨張する耐圧袋構造の、シート製のエアバックであり、注入する圧縮空気力による膨張力が原動力となるものである。符号３については、前記符号１、同２（及び６）の敷設の架設物全体を覆い包むシートで、耐候防水性能と、表面に滑落誘発する加工をしたカバーシート（符号３）で、以上の３部と付属する関連機材の組織的構築により、編成される装置全体が、請求項１の本発明の構造物となる。
以下に発明物の構造の構成と機構を説明する。
上記符号１の、特注製作するベースシートの構成素材と材質特性は、屋根上の排雪目的とする意図のエリア（注記、効果的に機能する、一体一面の広さの方形）に敷き詰める目的の方形のシート（符号１）であり、屋根上にある突起による破損を防止する為、及び、そのベースシート上面に据置するエアバック（注記、詳細を後述する符号２及び６）が、与圧膨張時に破裂損傷を引き起こす原因となる、例えば浸水に因る凍結や、癒着などを防止する必要上から、厚さが１乃至３ミリ程度で内芯部（板状）がある、生地に、複層の塩ビ等の合成樹脂性のシートを用いるが、用途機能上、高い防水、疎撥水性を持つ素材の採用が望ましいもので、殊に、上置するエアバックの布面との接触が、屋根の日照時の高温による、変質で、布地表面の融着が危惧される事から、軟化防止薬液をコーテングしたシート素材にするのが望ましい。その他、密着面積を減殺低減する為に、布面の表面を凸凹加工処理した（roughsurface)製作工法、即ち、梨地（ナシジ）仕様も採用したい対応策である。
次に、屋根上に施工するベースシートの敷設要領は、現場の必要屋根面の形状に対応したサイズに裁断加工し、屋根の勾配（両）面一面に敷設し、ベースシート面の各端に加工したハトメを使い、屋根馬の部分に跨る部所に、吊り下げ固定保持する施工を行うもので、尚、屋根面の幅の広さに対応し、排雪できる状況や排雪する意図により、ベースシートの幅を部分的に限定し、縦割りに短縮する等、適宜に分割して対応できる構成に優位な機能的特徴がある。
次の、符号２（及び６）のエアバックの構造説明は、意図する目的の圧縮空気を注入して膨らませる、耐圧構造のエアバックで、その膨張反発の強いジャッキ力を利用する企図から、強耐圧弾力のナイロンやアラミド、ポリエステル等の厚さ１〜３ミリ程度の強度のある撚糸製の網地の布面の内面を、薄い気密用フイルムシートを接着被覆、又は、ラミネート合成処理等した不通気性防水加工処理（water proofing）した高気圧耐圧素地材を用いて、袋状のエアバック（２種類の各々の、内容積の規模は２００リットルから４００リットルを想定）を作製するものであり、既に先行技術に示す如く、車の排出ガス力で数トンの重さを持ち上げる威力のエアバックの実績事例もあり、袋素材次第で能力的に充分な機能を期待できる構成である。上記組成の生地母材を用いて各々、袋状に縫製し接着薬液で接合した特製の強耐圧性エアバック仕様の製作を行い、仕立て形状により、形が円筒状に膨らむ寝袋型（符号２、シュラフ形）と、土嚢状に膨らむ、底付紙袋型（符号６、手提げ状、スマートバッグ形）の２種類の仕様を考案策定したもので、そのエアバック胴部には圧縮空気の注入口、及び強制排気口の二つのノズル（２系統２口並立）口端部（ノズル口径内径６ミリ外径９ミリ、符号４）を胴部布面を切開して嵌めこみ、これに、給、排２系統の２本の耐圧ホース（各、口径内径６ミリ外径９ミリ、）を一本化した耐圧エアホースを連結して、地上部まで延長運用使用するもので、上記のエアバックのノズル部取り付けは、エアバック胴部布地に開口部を設け、塩ビ性の円盤形の軟質緩衝材（エラ状）を使用し、反復使用と耐久性のある、耐圧耐久構造のノズル部(金属製の内径６ミリ、外径９ミリの給、排２ケ口連装部)の仕様となる（図４の（Ａ）と（Ｂ））。機能上エアバックの作動と挙動上の障害を与えない様に、出来るだけ短小な器具構成が望ましいものであるが、器具構造の詳細は、注入用（図４の符号９）逆止弁付きと、多孔式強制排気用（符号１０）の２連装のノズル付きの仕様で、更に、この装置と地上部の計器盤に届く長さの、一本化（給、排２系統）した耐圧エアホース（符号７、市販品、内径６ミリ外径９ミリを採用）を繋げる専用接続器具（符号１７、１８、１９のカプラプラグ、カプラソケット型式）を用い、延長の耐圧エアホース（スパイラルホース、符号１９）で延引連結する仕様により本発明の機能運用が確保されるものである。
次に、２種類のエアバックにした理由は、１は、屋根の最高所で、先端局所的に突出した形で、真円形に膨張して高さを稼ぐジャッキ力効果を意図し、２は、屋根下端に垂れ下がる、広く氷結して固まった、頑強で重量のある凍結した雪塊に対処、重量分散の対応を目的に意図したもので、排雪する対象の屋根面積に拠り、エアバックの大きさ（内容積の規模）と必要敷設個数を勘案、配置する構成で、セット（図３に説明）の数で対応するのが望ましく、屋根の下端部分のカバーシート内面に、エアバックを、平らな（真空状態〕一枚のシート状に留置、吊り下げる状態で、下敷きのベースシート上面の固定用留め具に固定、保留する施工工作を行うものである。
次に説明の、符号３のカバーシートは、屋根上の装置全体を覆う機能と、雪の滑落する表面加工を施した厚手（２〜３ミリ）の塩ビ等の合成樹脂性シートを用い、屋根の融雪水の浸透と逆流を回避できる素材で製作するが、建物の軒下奥部（オーバーハング）の最高位置までに達する長さで覆い、付属の連結したエアホース等と纏めて格納する必要があり、カバーシート内部に風が入らないように、引き締め、張り詰めて確保し、積雪期の常時体制の配置とする。
次の４項、（イ）の関連機材の説明項目は、エアバックのノズル部(給、排の口部、２系統の２連並立)のエア注入用と、強制排気用の２連のノズル（口径内径６ミリ外径９ミリ）の器具（符号４、注入用ノズルには、符号１３の空気逆止弁と、符号１４の、強制排気用に多孔管仕様「閉塞防止用」）の装置に連結する為の耐圧ホース（口径内径６ミリ外径９ミリ）は地上の計器盤まで延長されて連結し、計器盤にはエアの注入口の装置がある。又、排気用ノズル（口径サイズ、内径６ミリ外径９ミリ、符号２０）には、手動のエアコック弁（給気時、排気時に開閉の切り替え可）があり、通常の排雪システムの起動時は、現場の安全を確認、屋根上の積雪の挙動を監視しながらの、エアコンプレッサーを稼働して、エア注入操作が可能な機能となり、過剰のエア注入が無いよう情況を充分判断し、加減しながら、臨機応変の対応で排雪の始末が出来る。更に、与圧力監視と安全上、過圧警報装置や過圧時自動開放弁装置等の装備と編成が望ましい構成もある。
次の説明項目の４項、（ロ）の、本発明の運用についてであるが、冬季積雪が進み、屋根上の積雪の排雪の必要到来時の、適切な時に、カバーシートの全面の引き綱を開放（確保綱を留保）して、内部のエアバックの膨張に伴うカバーシート挙動が自由展開に容易な、フリーな状態に置き、電動（又は、エンジン式）エアコンプレッサーを起動し、所定の圧縮空気を注入して、エアバック（逆止弁付）が膨らむと、次第にジャッキ力でカバーシートが持ち上がり、雪塊を押し上げ、屋根雪は、勾配屋根のカバーシート上を自然に滑落する事態になるもので、この時、特に、圧縮空気注入の順序は、屋根の下層部のエアバックから始め、順次に上段に移行する事が肝要で、条件次第では、同じ屋根上部の積雪の滑落誘発が期待でき、連動して一挙にナダレ現象で下降することが想定されるので、地上の落下場所の安全圏スペース確認と排雪落下事故防止柵など、安全対策を充分配慮して置く必要がある。
屋根上の排雪が完了したら、次は屋根上のエアバック内の残留空気を吸引排気して再起動できる復帰の為に、地上部のエアクリーナー（電気掃除機）の吸込み口と、地上にある計器盤の排気口ノズルを、特製のジョイント器具（接続ホース（口径内径６ミリ外径９ミリ）、符号２２と、符号１７、符号１８）で接続し、スイッチ投入により、エアバック内の滞留空気を吸引抜き取りをする（図７で説明）。排気完了後、カバーシートの張り綱の点検や再引き締め作業により、当初の状態に戻り、排雪作動待機の状態に復帰できるものである。
以上の操作で、排雪の為に屋根に上る必要が無く、何回でも排雪の反復作動（業）が可能である事、作業が安全に無労力で排雪できる事、多数の作業員が不要である事、などの極めて優れた効果があり、排雪対象物の形状に適した工作で、限定されずに望ましい規模で、適宜に対処が出来る事、簡便に措置対応できるなどの好ましい優位性をもち、従来に無い発想による機能構成で、一般化した家庭用掃除機とエアコンプレッサー等の電気器具（エンジン発電機やインバーター器具等も動員できる編成が可能）を活用した、軽便で、現場適応性が柔軟なエアバックの機能と、自然滑落する（カバーシートの）滑雪シート機能の、自然法則を合理的に活用した、省エネで経済的な、簡易な構成を特徴とし、毎冬の積雪に備え事前に敷設（仮設的）できる、臨戦対応の架設装置である所に特長がある、上記の数々の優位な特徴がある勾配屋根積雪の雪下ろし装置である。
（注記、説明便宜上、符号１のベースシートと符号３のカバーシートの二枚のシートと区分して説明したが、これらの二枚のシートは連続の一枚となり、屋根最上部でＶ字形に折り返して敷設するもので、機能態様から上下の二枚として説明、＊理由は二枚のシート内に上部からの融雪水滲入を防止する為）
【００１２】
課題解決手段による作用は、エアバック（膨張力）と、滑落シート（カバーシート）の組み合わせの構成であり、電気スイッチ投入により、計画的に、無労力で安全に、、自然崩落の、雪下ろしができ、請求項１は再稼働できる復帰システムがあり、屋根の排雪作業が自力で容易に、何度でも反復できる、従来無かった効果が期待できるもので、施設物は、降雪に備えて臨戦的に敷設し、無雪期には取り外して置き、翌期に再利用が出来るなど、省エネで、経済性にも多くの効果を発揮するものである。
【発明の効果】
【００１３】
上述したように本発明の屋根積雪の排雪装置は、従来に例の無い発想に基づく構築であり、勾配屋根積雪の排雪手段の優位性と利点は以下の通りである。構成する素材や敷設工法や運用方法が軽便で、実地に即した工法の簡易性から、現場次第で費用負担の加減が可能で、適時的確な排雪が可能で、省力効果があり、安全で無労力で、積雪が自動滑落する排雪システム装置を提供出来る。
１、家屋に構造的改変を加えない事。２、対象家屋の屋根の諸状況に対応し、適合する規格に簡単に調整工作が出来る事。３、雪の到来に備え安全期に事前に備えられる事。４、屋根上に容易に装置を拡張設置ができ、不要時期には撤去できる仮設物である事。５、降雪期中の運用は屋根に登る事が無い事。６、然も通常の知識能力があれば安全に自前で排雪操作が可能な事。７、起動調整運用などの常識的操作だけで無労力で排雪できる事。８、積雪期に排雪運用は反復して何回でも対応操作が可能な事。９、春の安全時期に屋根から取り外して格納し置き、翌冬に再活用が可能である事。１０、最も主眼である費用負担も比較的軽い（装置を構成する器具が、家庭用電器器具の活用が可能で、その他、資材料も一般普及品が利活用でき、叉、使用が単純で安価調達が見込める構成からなどから）事。１１、毎年消耗費的更新支出（劣化部分の補充）の負担で済む事。１２、架設の外観的形態は軽微で、通常の冬季の覆雪がされるので負担感が少ない事。等の利点と、必要とする対象の状況にも広く適応可能で、仕様改変が容易となり、期待に応じた費用対効果が見込める等、費用的に容易に実施が可能な、実用的な施工効果を発揮するもので、何よりも、省エネシステムで、安全で無労力で雪下ろしができる利点がある。
【図面の簡単な説明】
【００１４】
【図１】請求項１の本発明の排雪装置の実施形態を示すエアバック作動説明図
【図２】同上の排雪装置の実施形態を示すベースシートの敷設説明図
【図３】同上の排雪装置のエアバック構築状況の説明図
【図４】同上の排雪装置の敷設の詳細説明と圧縮空気のエア給排器具の詳細説明図
【図５】同上の排雪装置の敷設の詳細説明と圧縮空気のエア給排器具の詳細説明図
【図６】同上の排雪装置の構成断面とエアバックの説明図
【図７】同上の排雪装置の圧縮空気の給排関連装置及び、エアホース接続経路の詳細
【発明を実施するための形態】
【００１５】
本発明は、勾配屋根上の排雪処理に、屋根上に敷設したシート（附号１と符号３）内に架設したエアバック（符号２と６）に圧縮空気を注入して、膨張するジャッキup（アップ）力を起動源とし、雪が自然法則で自動滑落する意図の滑面床工作をしたカバーシート（符号３）を併用した３部構成による装置で、更に、エアバック内の圧縮空気を強制吸引排除して、元の陰圧の状態に復帰できる再機能仕様から、屋根に上らず、無労力で、何回も反復稼動できる機能を装備した、従来に無い多機能の屋根の雪下ろし装置に関するものであるが、普及している簡易自家用コンプレッサーと家庭用小型掃除機の機能を積極活用した軽便で経済的な機能的システムに特異性があり、現場規模に応変可能な装置敷設の工事対応が出来ること、規模軽易で費用や維持管理も安易であり、排雪の操作処理も常識的に易しく、又、積雪期対策や不用期の敷設や除去が容易な仮設的構成に特色があり、排雪作業も勾配屋根上の、重層固着した積雪を、地上からの電気スイッチ操作だけで、無労力で、反復排雪可能の優れた機能で、積雪を底辺から押し上げる物理的圧力と、布面の引き寄せ動作で雪の重心が変動し、自力で自然滑落する加圧力となり、加えて、滑り台となる布面工作の効果で、一帯一挙に落雪する重力的状相を作り上げ、積雪を安全に意図通りに排除できる仕組みを考案したもので、基本的に屋根の傾斜度を活用するが、装置の機能は陸屋根でも、理論上は対応処理可能なシステムに特異な特徴があり、以下に、その仕組みを項目別に説明すると、符号１の、本発明の装置を構築する「基礎」のシート（以下では「ベースシート」と表記する）で、対象の屋根上の目的の範囲全面に敷設する方形のシートについて、であり、符号２（及び６）は、符号１のシートに上乗せ据え置きする本発明本命の機動するエアバック装置で、２種類の形態（詳細後述）があり、大きく空気膨張する耐圧袋構造の、シート製のエアバックであり、注入する圧縮空気力による膨張力が原動力となるものである。符号３については、前記符号１、同２（及び６）の敷設の架設物全体を覆い包むシートで、耐候防水性能と、表面に滑落誘発する加工をしたカバーシート（符号３）であるが、以上の３部の組織的構築により編成される装置全体が請求項１の本発明の構造となる。並びに、前述した本発明物が意図する機能発動に必要な、（イ）、装置の接続関連機材と、(ロ)、装置の維持管理が有り、全体説明は以上の第１項〜３項目（３部、符号１〜符号３、）と、第４項（イ）、及び（ロ）、の構成となるものである。
【００１６】
以下に発明物の構造の構成と機構の説明であるが、上記符号１の、特注製作するベースシートの構成素材と材質特性は、屋根上の排雪目的とする意図のエリア（注記、効果的に機能する、一体一面の広さの方形）に敷き詰める目的の方形のシート（符号１）であり、屋根上にある突起による破損を防止する為、及び、そのベースシート上面に据置するエアバック（注記、詳細を後述する符号２及び６）が、与圧膨張時に破裂損傷を引き起こす原因となる、例えば浸水に因る凍結や、癒着などを防止する必要上から、厚さが２乃至３ミリ程度で内芯部（板状）がある、防水繊維生地の、複層の塩ビ等の合成樹脂性のシートを用いるが、用途機能上、高い防水、疎撥水性を持つ素材の採用が望ましいもので、殊に、上置するエアバックの布面との接触が、屋根の日照時の高温による、変質で、布地表面の融着が危惧される事から、軟化防止薬液をコーテングしたシート素材にするのが望ましいが、その他、密着面積を減殺低減する為に、布面の表面を凸凹加工処理した（rough  surface)製作工法、即ち、梨地（ナシジ）仕様も採用したい。次に、屋根上に施工するベースシートの敷設要領は、排雪対象とする現場の、必要屋根面の形状に対応したサイズに裁断加工し、屋根の勾配（両）面一面に敷設し、ベースシート面の各端に加工したハトメ穴を使い、屋根馬の部分に跨る部所に、吊り下げ保持する施工を行うもので、尚、屋根面の幅の広さに対応し、排雪できる状況や排雪の意図により、ベースシートの幅を部分的に限定し、縦割りで短縮する等、適宜に分割して対応できる構成に優位な機能的特徴がある。
【００１７】
次の第２項の、符号２（及び６）のエアバックの構造説明は、意図する目的の圧縮空気を注入して膨らませる耐圧構造のエアバック（注記、符号２及び６）で、その膨張反発のジャッキ力を利用する企図のシステム構成であり、耐圧弾力の強いナイロンやアラミド、ポリエステル等の厚さ１〜３ミリ程度の、強度のある撚糸製の網地の内面を、薄い気密用フイルムシートを接着被覆、又は、ラミネート合成処理等した、不通気性防水加工処理（water proofing）の、高気圧耐圧素地材を用いて、袋状のエアバック（２種類の各々の内容積規模は２００リットルから４００リットルとする）を作製するものであり、既に先行技術に示す如く、車の排出ガス力で数トンの重さを持ち上げる威力のエアバックの実績事例もあり、袋素材次第で能力的に、充分な機能を期待できる構成であり、上記組成の生地母材を用いて各々、袋状に接着薬液で接合した特製の強耐圧性エアバック仕様の製作を行い、仕立て形状により、形が円筒状に膨らむ寝袋型（符号２、シュラフ形）と、土嚢状に膨らむ、底付紙袋型（符号６、手提げ状、スマートバッグ形）の２種類の仕様を考案策定したもので、そのエアバック胴部には圧縮空気の注入口、及び強制排気口の二つのノズル（２系統２口並立）口端部（ノズル口径内径６ミリ外径９ミリ、符号４）を取り付け、これに、２系統のエアホースを一本化した耐圧エアホースを連結するもので、上記のノズル部取り付けは、エアバック胴部に開口部を設け、塩ビ性の円盤形の軟質緩衝材（エラ状）を使用し反復使用と耐久性のあるノズル管部に成形した耐圧耐久性の構造のノズル部(硬質製の内径６ミリ、外径９ミリの給、排２ケ口連装部)の仕様となり、機能上エアバックの作動と挙動上の障害を与えない様に、出来るだけ短小な器具構成が望ましいものであるが、器具構造の詳細は、注入用（図４の符号９）逆止弁付きと、多孔式強制排気用（符号１０）の２連装のノズル付きの仕様で、更に、この装置と地上部の計器盤に届く長さの、一本化（給、排２系統）した耐圧エアホース（符号７、市販品、内径６ミリ外径９ミリを採用）を繋げる専用接続器具（符号１７、１８、１９のカプラプラグ、カプラソケット型式）を用い、延長の耐圧エアホース（スパイラルホース、符号１９）で延引連結する仕様により、本発明の機能発動が確保されるもので、次に、２種類のエアバックにした理由は、１は屋根の最高所で、先端局所的に突出した形で、真円形に膨張して高さを稼ぐジャッキ力効果を意図し、２は、屋根下端に垂れ下がる、広く氷結して固まった、頑強で重量のある凍結した雪塊に対処、重量分散の対応を目的に意図したもので、排雪する対象の屋根面積に拠り、エアバックの大きさ（内容積の規模）と必要敷設個数を勘案、配置する構成のセット式（図３に説明）が適切で望ましく、屋根の下端部分のカバーシート内面に、エアバックを、平らな（真空状態〕一枚のシート状に留置、吊り下げる状態で、下敷きのベースシート上面の固定用留め具に固定、保留する施工工作を行うものである。
【００１８】
次に説明の、符号３のカバーシートは、屋根上に敷設した符号１及び符号２と及び連結器具などの装置全体を覆う保全機能と、雪の滑落する表面加工を施した機能性の厚手（２〜３ミリ程度）の塩ビ等の合成樹脂性シートを用いて構成するもので、屋根の融雪水の浸透と逆流を回避できる素材で製作するが、建物の軒下奥部（オーバーハング）の最高位置までに達する長さで覆い、付属する連結した耐圧エアホース等と、纏めて屋根裏に格納する必要があり、カバーシート内部に風が入らないように、カバーシートの周辺のハトメ穴を利用し、ロープを用い引き締め、完全に張り詰めて確保し、積雪期の排雪稼働待機の配置とするものである。
（注記、説明便宜上、符号１のベースシートと符号３のカバーシートの二枚のシートと区分して説明したが、これらの二枚のシートは連続の一枚となり、屋根最上部でＶ字形に折り返して敷設するもので、機能態様から上下の二枚として説明、＊理由は二枚のシート内に上部からの融雪水滲入を防止する為）。
【００１９】
次は装置の接続関連機材に関する（イ）の説明項目について、であるが、エアバックのノズル部(給排口部)のエア注入用と、強制排気用の２連のノズルの器具（符号４、口径内径６ミリ外径９ミリ、ノズル部には、符号１３の空気逆止弁と、符号１４の、強制排気用に多孔管仕様「閉塞防止」）の装置があり、これに連結する為の耐圧ホース（口径内径６ミリ外径９ミリ）は、地上の計器盤まで延長されており、計器盤の耐圧ホース（口径内径６ミリ外径９ミリ）の先端には、エアの給、排の２つの切替え装置があり、この排気用ノズル（符号２０）には、手動のエアコック弁（給気時、排気時に切り替え使用）があり、通常の排雪システム起動時は、現場の安全地帯から、屋根上の積雪の挙動を監視しながらのエア注入操作が可能な機能となり、過剰のエア注入が無いよう情況を充分判断し、加減しながら、臨機応変の対応で排雪の始末が出来るもので、更に、与圧力監視と安全上、過圧警報装置や過圧時自動開放弁装置等の装備と編成が望ましい構成もあるものである。
次の説明項目は装置の運用に関する（ロ）についてであるが、冬季積雪が進み、屋根上の積雪の排雪の必要到来時の適切な時に、カバーシート（符号３）の全面の引き綱を開放（確保綱を留保）して、内部のエアバック（符号２と符号６）の膨張に伴うカバーシート挙動が自由展開に容易な、フリーな状態に置き、電動（又は、エンジン式）エアコンプレッサーを起動し所定の圧縮空気を注入して、エアバック（逆止弁付）が膨らむと、次第にジャッキ力でカバーシート（符号３）が持ち上がり、雪塊を押し上げ、屋根雪は、勾配屋根のカバーシート（符号３）上を、自然に滑落する事態になるもので、この時、特に、圧縮空気注入の順序は、屋根の下層部のエアバック（符号６）から始め、順次に上段に行う事が肝要で、条件次第では、同じ屋根上部の積雪の滑落誘発が期待でき、連動して一挙にナダレ現象で下降することが想定されるので、地上の落下場所の安全圏スペース確認と排雪落下事故防止柵など、安全対策を充分配慮して置く必要がある。次に、屋根上の排雪が完了したら、屋根上の各エアバック内の残留空気を吸引排気して再起動できる復帰の為に、地上にあるエアクリーナー（電気掃除機）の吸込み口と、地上の計器盤の排気口ノズルを、特製のジョイント器具等（接続ホース、符号２２と、符号１７、符号１８）で接続し、エアバック内の滞留空気を吸引抜き取りをする（図７で説明）。及び、シートの張り綱の点検や再引き締め作業により、当初の待機状態に復帰できる。
以上の操作で、排雪の為に屋根に上る必要が無く、何回でも排雪の反復作動（業）が可能である事、作業が安全に無労力で排雪できる事、多数の作業員が不要である事、などの極めて優れた効果があり、排雪対象物の形状に適した工作で、限定されずに望ましい規模で、適宜に対処が出来る事、簡便に措置対応できるなどの好ましい優位性をもち、従来に無い発想による機能構成で、一般化した家庭用掃除機とエアコンプレッサー等の電気器具（エンジン発電機やインバーター器具等も動員できる編成が可能）を活用した、軽便で、現場適応性が柔軟なエアバックの機能と、自然滑落する（カバーシートの）滑雪シート機能（注、説明便宜上、符号１のベースシートと符号３のカバーシートの二枚のシートに区分して説明したが、これらの二枚のシートは屋根最上部でＶ字形に折り返して敷設する連続一枚の形状から、上下二枚として説明（＊理由は二枚のシート内に上部からの融雪水滲入を防止する為）したものであるが、自然法則を合理的に活用した省エネで経済的な簡易な構成を特徴とし、屋根に登らずに排雪する特異な機能の優位性があり、毎冬の積雪に備え事前に予防対策に敷設（仮設的）する便宜的装置であり、無労力で、安全に排雪ができ、何回でも反復作動が可能な点に優位な特徴がある勾配屋根積雪の雪下ろし装置である。
【実施例】
【００２０】
以下、本発明の実施の形態を、請求項１について、図１〜図７に基づいて説明する。
【００２１】
図１は本発明の機能の大綱を図示したもので、即ち、勾配屋根上の積み重なった積雪が、電動スイッチ操作で起動するエアバックの膨張で、次第に持ち上げの物理的圧力が加わり、雪塊が分裂し、次第に自動落下する自然法則を利用した装置の作動状況を段階的に図示したもので、屋根に登る事無く無労力で安全で確実に、計画的に滑落部分を分割し操作する事ができ、落下する雪の挙動を予測し、地上の安全な場所で監視し調整操作しながら、屋根上の積雪の自動滑落を誘導し、排雪できる装置の構成を示したものである。
図２では、その仕組みを示したもので、（Ａ）は、本発明の対象とする家屋の積雪状態図で、（Ｂ）は対象の勾配屋根の常態を示し、（Ｃ）では本発明の第一着手となる下敷きのシートを敷設した状況説明図で、このシート（以下ではベースシートと表記する）が本発明の起動装置を搭載する基礎の母材となる。
図３では上記の、敷延したベースシート上に装置する、膨張して機能するエアバックの説明図で（Ａ）では屋根上層部（上辺部）に構築したエアバック（イとロ）と下層部（下辺部）のエアバック（ハとロ）の敷設した状況を示し、この上には被覆する為の、カバーシート（図５のＡ）がある。
本発明の装置の主要は、第１項、の（符号１、）ベースシートと、第２項の（符号２）、エアバック（２種類）と、第３項の（符号３）、カバーシートの、以上説明の第１項〜第３項(図６のＡ)と、第４項の、接続用の関連器具（１）と、装置運用（２）、の構成によるものである。
（注記、解かり易くするため符号１と符号３を、機能表記上分離して記載したが、施工では屋根に敷設する最高位置の辺位でシートをＶ字に折り返して敷設するもので｛＊上辺からの融雪水等の進入を防ぐ為｝連続した一連一枚のシートになる。）。
【００２２】
図４は、符号２と符号６のエアバック装置の詳細な説明図であるが、敷延したベースシートは屋根の下地に固定され、上述のエアバックはベースシートの保持具に吊り下げした状態に保留される。エアバック胴部のそれぞれには、圧縮空気注入用と強制排気用のノズル部（各、口径、内径６ミリ外径９ミリ）があり、２系統２連１本のジョイント部に耐圧エアホース（各、口径、内径６ミリ外径９ミリ）が連結されて、地上の計器盤迄に延長配置される。図（Ｂ）は２系統２連１本の耐圧エアホース、（Ｃ）はエアバック胴部の給気（逆止弁付き）ノズル、と排気（閉鎖防止用の多孔式）ノズルの機構の詳細説明図で、何れも本装置用の特注製作となる。図５では、（Ａ）は以上の説明した装置全体を覆うカバーシートの架設状態を示し、（Ｂ）は、地上の計器盤の装置の配置と稼働状況の説明である。
【００２３】
以下に上述した１〜３項、及び付属部品等（第４項目）の（１）、（２）について実施の形態を詳細に説明する。
図２の（Ｃ）の、対象の屋根上の目的のエリア（範囲）全面に敷き詰める、敷設用の方形ベース状の防水シートについてで、あるが、その構成素材と材質特性について説明すると、屋根上の排雪目的とする意図のエリア（注記、効果的に機能する共通した傾斜や方向、面積を考慮した条件や情況が同様の、一体一面の広さの方形の部分の面積規模を指す）一面に敷き詰めるてその上面に本発明の起動装置（エアバック）を留置格納する、その基盤となる方形のシート、（以下では、ベースシート（符号１）と表記する）であり、施工するベースシートの敷設の工程は、現場の必要屋根面の形状に合わせ、調整した対応のサイズにベースシートを裁断し加工作製し、屋根馬の直下から屋根下端の雨樋までの部分、即ち、屋根の勾配両面一面に、又は、片屋根一面の面に敷き詰めて敷設し、ベースシートの上端に加工したハトメ穴を使い、屋根馬の部分に跨る箇所に設けた特設の固定部に吊り下げ、或いは、金属製長尺物などを使用し、ベースシートを数箇所の吊り手で屋根馬に繋ぎ止め、固定保持する施工を行う。更に、屋根上にある既存の突起が原因となる突き抜き損傷を防止する意図及び、そのベースシート上面に敷設され、膨張起動してシステム機能するエアバック（注記、詳細を後述する２種類の符号２及び６）が、圧縮空気の注入（膨張）時に、破裂損傷の起因になる、浸水に因る凍結や、癒着などを防止する必要性から、厚さが１乃至３ミリ程度で内芯部（板状）があり、且つ、裏面が屋根形状に自然に馴染む（注補、滑り落ちと撚れ変形防止対策）柔軟且つ硬質の複層の塩ビやナイロン性等の合成樹脂性のシートで製作する必要があり、尚、用途機能上、高い防水、疎撥水性を持つ素材（添加加工した）が望ましい。殊に、次の工程の、ベースシートに上乗せするエアバックを構成する布面との、相互の接触面になる表面には、屋根の日照時の高温による、化学的変質などに因る布地表面の融着や、平面圧着による張り付き融合が危惧されるので、その防止策として、変質防止剤や、パラフイン系などの撥水性ワックスなどの仕様の薬液をコーテングしたシート素材の採用が望ましい。特に、本発明の装置は強い冬季日射下で、長期間の固着した待機日時が続く事が見込まれるので、膨張起動時に、その圧着接着面の布地に引き張り力が急激に集中して、起動初期に、エアバックが裂けるトラブルが懸念されるので、これらを防止する留意を必要とする。更に、シートの布地表面の形状と材質の、癒着や結合防止策として、疎撥水効果と通風性向上と、密着面積を削減する為に、布面（注記、エアバック布面に接触するベースシーの上面と、及び、後述するカバーシートの下部（内面等）表面を凸凹処理した（rough surface)、梨地（ナシジ）シートの加工仕様が望ましい。
【００２４】
次に第２項の、ベースシートの上面部（注補、完成時には中間層構成部分となる）に乗せる、圧縮空気を注入して膨らませる耐圧構造のエアバック（注記、符号２及び６）についてであるが、その膨張反発のジャッキ力を利用する企図のシステム構成であり、従って、耐圧弾力の強いナイロンやアラミド、ポリエステル等の厚さ１〜３ミリ程度の網布が主素地で、内面に気密用フイルムシートを被覆、又は接着、ラミネート合成等した不通気性防水加工処理した（water proofing）、高気圧耐圧素地の原布を用いて、袋状に（注記、寝袋型、或いは、底付き紙袋型の２つの型式、符号２及び６がある。）接着薬液で接合し閉じ合わせた特製の、高耐圧性エアバック仕様で、仕立て形状により、形容が円筒状に膨らむ寝袋型（符号２、通称、シュラフ形）と、同じく土嚢状に膨らむ、底付紙袋型（符号６、通称、スマートバッグ形）の２種類があり、内容積は２００リツトルから４００リットル程度の大きさ（重量の排雪対処は個数で分散、分割で対応する企図）とし、そのエアバックの胴部には、圧縮空気を注入、及び強制吸引排気する為の二つのノズル部（各、口径内径６ミリ外径９ミリ、nozzle、注記、エアの注入と強制吸引排気の為の二つの別々の口端部）の、２系統２連装で一本の一体化した装置（ジョイント）器具のノズル部（符号４）を製作し装着する。上記のノズル部は、塩ビ性の円盤形の軟質緩衝材（エラ状の取り付け強化基部）を使用し、ノズル部を強化装着し固定するもので、エアバックの胴部本体に円形に切開し、嵌めこみ接着して、充分な、耐久性と耐圧性を持つエアバックに製作するもので、従って上記２形式の袋状のエアバックは何れも、嵌めこみした耐圧構造のノズル部(給排口部の口径内径６ミリ外径９ミリ)を胴部に装着した仕様となる。従って作動上エアバックに障害を与えない、出来るだけ短小な器具構成が望ましい。（注記、器具構造の詳細は図４に記載の、符号９、注入用「逆止弁付き」と、符号１０の強制排気用「多孔式」の機能付き２系統２連のノズル付き。）。更に、このノズル装置と連結して地上部の計器盤に耐圧エアホース（内径６ミリ外径９ミリ）を用いて繋げる専用接続器具（符号１７、１８、１９のカプラプラグ、カプラソケット型式に準ずる特製）を用い、延長の耐圧エアホース（口径内径６ミリ外径９ミリ、スパイラルホース、符号１９）を地上の計器盤に延引する施工が要る。従って、予め、注入及び強制排気用の２系統の耐圧ホースを、一本に包括した専用ホース（符号７）を作製し（注記、符号１１及び１２。）屋根上のエアバック毎に接続して置く事になる。
【００２５】
上記第２項のエアバックは、機能目的別に２形式とし、１、寝袋型（符号２）、２、底付き紙袋型（符号６）の２種類で、１は、屋根の最高所で、先端局所的に突出した形で真円形に膨張して高さを稼ぐジャッキ力効果の機能を意図し、２は、屋根下端に垂れ下がる、広く氷結して固まった頑強で、重量のある凍結した雪塊に対応する目的で、従って、荷重分散を図り負担面積を広げて分散し、効果的に分担する仕様を意図したもので、横広がりで重量に対応するジャッキ力を発揮できる機能の構成としたものである。その形状から区別して、寝袋型と底付き紙袋型（と名付け）の２種類のエアバックの構成とした。従って、エアバックの大きさ（規格）と必要敷設個数の関連があり、屋根面積を縦線で（高低の勾配の）分断区分して、セット毎（セットとは一シートに排雪機能装置をもつ最小の単位の意味、）で対応する意図から、広さ（縦の傾斜の長さ）に応じ、上段、中段（１〜複数個）下段の、適宜のエアバック個数を設置する構成も可能であり、稼働時には、エリアを分担している下から、上に順繰りに起動排雪する操作も意図通りに可能で、屋根を縦割りに分配したセットシステム（セット毎に上下一繋がりで一帯の排雪ができる方式）の方式とし、一面一セット毎に、上、（中、１〜複数個）、下段と、左側、右側の縦割りに２連並列した配置に、エアバックを４〜複数個設置し、２系統１本のエアホース（符号７）を、敷設したエアバック毎に左側と、右側に別けて接続し、下敷きのベースシートの側面辺に沿って下方に延長し、下端は地上の操作計器盤迄に届くまで延長し配置する構成のセット型式（図３に説明）が適切で望ましい。敷設した上段部のエアバック（寝袋型）は、下敷きのベースシートの上辺端部に、又、中段、及び、下段部のエアバックは、中、下段に展開するベースシートの、下敷きの位置のベースシート面に、直に留め具（ハトメ加工）か、又は、適宜の金属性長尺物を用い、ベースシートの横断する位置に、それぞれ中吊りに、固定する事になり、各々、エアバックが、平らな（真空状態〕一枚のシート状で、ベースシート内に吊り下げる状態に保留する事になる。
【００２６】
上記の第３項のカバーシートについて、イ、上記の符号１と符号２を設置した装置全体を包み、ロ、耐候性保全の目的と、ハ、システム発動時に、積雪が自動的に滑り落ちる表面効果を保持、促進する機能と役割をもつ、多面的機能のカバーシートについてである。従って、カバーシートは融水や雨水の浸透を防止し、且つ、積雪の自然滑落を促進する機能を持つ機能性シートを特製するものであるが、表面が艶やかで、疎水、撥水性で、且つ、水分分子単位の浸透凍結を阻止できる、厚手（１ミリ〜３ミリ程度）の塩ビ系合成繊維シート（表面は滑雪シートの効果、）仕様で、裏内面には梨地加工（癒着防止）の処理が望ましい。費用対効果上、市販の上質のブルーシートで代用も可能であるが、屋根全体を覆い、雨滴やスガ漏れ（屋根上の融雪水）の浸透と逆流を回避できる機能構成を持つシートを用いるのが望ましく、屋根の最上部では底辺のベースシート（符号１）と接続し、Ｖ字形に折り返した状態に連結する（融雪水などの浸入防止する為）カバーシート（符号３）で、軒下奥部（オーバーハング）の最奥高位置までに達する長さで、装置全体を覆い、付属の連結してあるエアホース等と一連して格納する。（注記、説明便宜上、符号１のベースシートと符号３のカバーシートの二枚のシートと区分して説明したが、これらの二枚のシートは連続の一枚となり、屋根最上部でＶ字形に折り返して敷設するもので、機能態様から上下の二枚として説明、＊理由は二枚のシート内に上部からの融雪水滲入を防止する為）
【００２７】
上述の第４項の（１）は、上記の本装置の構成部材の設置組み込み、或いは、接続に使用する器具についての説明であるが、特製の仕様は、エアバック製作時に組み込むエア注入用と、強制排気用の２系統２口一体化のノズルの器具（各内口径６ミリ外径９ミリ、符号４、注入用ノズルには、符号１３の空気逆止弁と、符号１４の、強制排気用に多孔管仕様「閉塞防止」）の装置であるが、これに連結し延引した先端に届く地上の計器盤には、エアの給、排の２つの装置端末部（ジョイント部）があり、この排気用ノズル（符号２０）には、手動のエアコック弁（給気時、排気時に切り替え使用）の設置がある。又、保守管理上できれば、エアバックの圧力監視用の空気圧力メーター器具の併設が望ましい。通常の排雪システム起動時は、現場の安全地帯から、屋根上の積雪の挙動を監視しながらの、エア注入操作が可能であり、過剰のエア注入が無いよう情況を充分判断し、加減しながら、臨機応変の対応で排雪の始末が出来る。然し、与圧力監視と安全上、過圧警報装置や過圧時自動開放弁装置等の装備と編成が望ましい。続く第４項の（２）の、本発明のシステム機能の運用の説明については、冬季積雪が進み、屋根上の積雪の排雪の必要到来時には、適切な時期（無風で気温上昇時が好ましい。）を選び、カバーシートの全面の引き綱を開放（突風に備え一部の確保綱を留保）、内部のエアバックの膨張に伴うカバーシート挙動の、自由展開に容易な、フリーな状態に置き、電動エアコンプレッサーを起動し所定の圧縮空気圧を保持した後、地上の計器盤にある圧縮空気注入口（既にエアバックには耐圧ホースが接続し繋がってある。）に、圧縮空気を注入して、エアバック（逆止弁付）が膨らむと、次第にジャッキ力でカバーシートが持ち上がり、一緒に雪塊を押し上げ、屋根雪は、勾配屋根のカバーシート上を自然に滑落する事態になる。但し、この屋根上のエアバックの圧縮空気注入の順序は、屋根の下層部のエアバックから始める事とし、順次に上段に行う事で、条件次第であるが、連結する屋根上部の積雪が誘発され、連動して一挙に下降することが予想されるので、地上の落下場所の安全圏スペース確認と排雪落下事故防止柵など、安全対策を事前に確認し、充分配慮して置く必要がある。屋根雪が移動し滑落し始めたら即時、空気注入を停止する（エアバック破裂防止の為）。
【００２８】
次に第４項の（２）に関し、以上の屋根下層部及び上層部のエアバックを起動し屋根上の排雪が完了したら、次はエアバック内の強制吸引排気をする為、地上の計器盤の排気口エアコック（起動当初は閉鎖してある）を充分留意して開放し（注意事項、初期は強力な高圧エアが突出する危険がある。）排気圧力の情況を監視し、地上のエアクリーナー（電気掃除機）の吸込み口と、計器盤の排気口ノズルを、特製器具（符号２２、）及び符号１７、符号１８の器具で接続し、スイッチ投入により、前に注入したエアバックの空気を強制吸引抜き取りをする（図７で説明）。この作業が終了したら、当初の復旧作業に入り、カバーシートのロープ（綱）を引き締め、カバーシートに風が入らないように、四方を引き張り確保し、従前の通りの、格納処理を再度行い、万全に当初の状況に回復する作業を完了し、待機状態に戻る。従って、簡単に何時でも再度の排雪起動が行える態勢の起動性と反復作動が可能という軽易な構成で、自然法則を活用した経済性と、安全性と、無労力で排雪できる抜群の効用がある、従来無かった革新的な装置構成により、効率的効果を発揮するものである。
【産業上の利用可能性】
【００２９】
本発明の主体のエアバック仕様には、機能の簡易適応性と、単純素材構成と、装置の反復機能と、、再構築に優位な経済性があり、然も、強大な効果を発揮できるリフトアップの、高い効率性があり、従来から長年、対策の術のなかった、機械化出来にくい屋根排雪の分野に、ソフト（柔軟）に対応する方途を考案したものであるが、仮に、現在の技術的手法として、１、アームの長い重機で雪を掻き取る、２、高熱水の放水や放流や電熱融雪、３、高圧放水や高圧空気で吹き飛ばす、などもできるが、これらはいずれも、莫大なコストと資源の浪費に尽きる。改めて、このエアバック方式の威力と効率は素晴らしく、極めて重要な機能性を認識する必要がある。注目すべきこの機能を今後、降雪地帯にある、コスト上やむを得ない軽柔構成の構造物や、大小の、アクリル製カーポート、や、保管庫、用具室など、施設物の対雪方途等に、充分活用すべき機能であり、産業上、活用可能な十分な分野と課題意義があると考えられる。
【図１】
0005725631.tif 000002
【図２】
0005725631.tif 000003
【図３】
0005725631.tif 000004
【図４】
0005725631.tif 000005
【図５】
0005725631.tif 000006
【図６】
0005725631.tif 000007
【図７】
0005725631.tif 000008